【手続補正書】
【提出日】平成21年9月10日(2009.9.10)
【手続補正１】
【補正対象書類名】明細書
【補正対象項目名】特許請求の範囲
【補正方法】変更
【補正の内容】
【特許請求の範囲】
【請求項１】
有効ラインに停止表示された図柄の組み合わせによって特典が付与されるか否かを遊技者に報知する遊技機であって、
それぞれが１つの図柄を停止表示するための区域である複数の小区域と、２以上の前記小区域をライン状に並べた形状に相当する区域であって１つの図柄を停止表示するための大区域とを含む複数の区域を有する表示部であって、前記大区域を含まずに複数の前記小区域で形成される第１有効ラインおよび第２有効ラインと、前記小区域と前記大区域とを含む複数の区域で形成される第３有効ラインとを含む複数の有効ラインを形成するように配置された複数の区域を有する表示部と、
前記各区域に表示される図柄を変動させた後に前記変動を停止させて、前記各区域に停止表示された図柄によって前記特典が付与されるか否かを遊技者に報知する表示制御手段と、
を備え、
前記表示制御手段は、前記図柄の変動と前記変動の停止との制御のパターンの１つとして、
（Ａ）前記複数の区域のそれぞれの図柄の変動を開始する処理と、
（Ｂ）前記処理（Ａ）よりも後に、前記第１有効ラインでリーチ状態を形成する処理と、
（Ｃ）前記処理（Ａ）よりも後に、前記第２有効ラインでリーチ状態を形成する処理と、
（Ｄ）前記処理（Ｂ）、（Ｃ）よりも後に、前記第１有効ラインの複数の区域の図柄の組み合わせを、前記特典の付与の報知のための図柄の組み合わせとは異なる組み合わせに確定させ、前記第２有効ラインの複数の区域の図柄の組み合わせを、前記特典の付与の報知のための図柄の組み合わせとは異なる組み合わせに確定させ、前記大区域の図柄の変動を維持した状態で、前記第３有効ラインでリーチ状態を形成する処理と、
（Ｅ）前記処理（Ｄ）よりも後に、前記大区域の図柄の変動を停止させて、前記第３有効ラインの各区域のそれぞれの図柄を確定させる処理と、
を含むパターンを有する、
遊技機。
【請求項２】
請求項１に記載の遊技機であって、
前記複数の有効ラインは、さらに、前記小区域と、前記第３有効ラインと共通な前記大区域とを含む複数の区域で形成される第４有効ラインを含み、
前記処理（Ｄ）は、前記大区域の図柄の変動を維持した状態で、前記第４有効ラインでリーチ状態を形成することによって、前記第３有効ラインと前記第４有効ラインとの両方をリーチ状態にする処理を含み、
前記処理（Ｅ）では、前記大区域の図柄の変動の停止によって、さらに、前記第４有効ラインの各区域のそれぞれの図柄が確定される、
遊技機。
【請求項３】
請求項１または請求項２に記載の遊技機であって、
前記第１有効ラインの前記複数の小区域と、前記第２有効ラインの前記複数の小区域とは、複数のグループであって、各グループが第１有効ラインの前記小区域と第２有効ラインの前記小区域との両方を含むように設定された複数のグループに予め分けられており、
前記表示制御手段は、前記処理（Ｂ）と前記処理（Ｃ）とを実行する場合に、１つの前記グループに含まれる複数の前記小区域の図柄の変動をほぼ同時に停止させる処理を、グループを変更しつつ繰り返し実行することによって、前記処理（Ｂ）、（Ｃ）を、ほぼ同時に実現する、
遊技機。
【手続補正２】
【補正対象書類名】明細書
【補正対象項目名】０００４
【補正方法】変更
【補正の内容】
【０００４】
【課題を解決するための手段１】
課題を解決するための手段１は、請求項１に記載されていた通りであり、複数の小さな区域と少なくとも一つの大きな区域とからなる表示領域を備え、複数の図柄からなる図柄群を変動または停止して表示可能な表示部と、前記図柄群の変動と停止を制御するとともに、前記大きな区域の両側に位置する前記小さな区域について変動している前記図柄群をほぼ同時に停止して図柄を前記表示部に表示する表示制御部と、変動している複数の前記図柄群が複数の有効ラインのいずれかに特定図柄の組み合わせで停止すると遊技者に特典を与える遊技制御部とを有する遊技機、である。ここで、手段１に記載した用語については以下のように解釈する。当該解釈は他の請求項および発明の詳細な説明についても同様である。
（１）「停止」には完全な停止のみならず、一時停止をも含む。また「停止」の状態には静止する場合のみならず、基準位置を中心として任意の方向に任意の距離範囲で動く場合をも含む。
（２）「表示部」は一の表示器（あるいは表示装置）について図柄を表示可能な部位の全部であってもよく、当該部位の一部であってもよい。さらには一の表示器に限らず、複数の表示器で構成してもよい。
（３）「大きな区域の両側」とは大きな区域の左右両側に限らず、大きな区域の上下両側や斜め両側をも含む。
（４）「特定図柄の組み合わせ」は予め設定した図柄の組み合わせに限らず、遊技状態等に応じて変化し得る図柄の組み合わせをも含む。
（５）「特典」とは、遊技者に有利な遊技状態を意味する。例えば大当たり遊技，図柄変動期間の短縮（以下「時短」と呼ぶ。），時短回数の設定，大当たりになる確率の変更（以下「確率変動」と呼ぶ。），確率変動回数の設定，入賞口に備えた蓋や羽根（翼片）の開閉等のような態様、あるいはこれらの少なくとも二つの組み合わせた態様がある。
【手続補正３】
【補正対象書類名】明細書
【補正対象項目名】０００６
【補正方法】変更
【補正の内容】
【０００６】
【課題を解決するための手段２】課題を解決するための手段２は、請求項２に記載されていた通りであり、複数の第１区域と少なくとも二つの前記第１区域を列状に並べた形状に相当する少なくとも一つの第２区域とからなる表示領域を備え、複数の図柄からなる図柄群を変動または停止して表示可能な表示部と、前記図柄群の変動と停止を制御するとともに、前記複数の第１区域を分けた少なくとも二つのグループごとについて変動している前記図柄群をほぼ同時に停止して図柄を前記表示部に表示する表示制御部と、変動している複数の前記図柄群が複数の有効ラインのいずれかに特定図柄の組み合わせで停止すると遊技者に特典を与える遊技制御部とを有する遊技機、である。ここで、手段２に記載した用語の「複数の第１区域を分けた少なくとも二つのグループ」には、それぞれ少なくとも一つの区域を有する。すなわち、一つの区域を有するグループまたは複数の区域を有するグループがある。また、いずれかのグループに区分した区域は固定してもよく、遊技機の種類，遊技状態，時間の経過等に応じて変化させてもよい。さらに、複数の区域を常に表示部に表示する必要はなく、任意の区域について任意のタイミングで表示／非表示してもよい。当該解釈は他の請求項および発明の詳細な説明についても同様である。
【手続補正４】
【補正対象書類名】明細書
【補正対象項目名】０００８
【補正方法】変更
【補正の内容】
【０００８】
【課題を解決するための手段３】課題を解決するための手段３は、請求項３に記載されていた通りであり、手段１または２に記載した遊技機において、表示制御部は、変動している図柄群を複数回に分けて停止する場合には、前記複数回のうち少なくとも二回は複数のリーチを形成するように前記変動している図柄群の停止を制御する遊技機である。当該手段３によれば、表示制御部は変動している図柄群を複数回に分けて停止する場合には、複数回のうち少なくとも二回は複数のリーチを形成するように変動している図柄群の停止を制御する。例えば、大きな区域の両側に位置する小さな区域について変動を停止した際に１回目の複数のリーチを形成し、その後に大きな区域の両側に位置する小さな区域について変動を停止した際に２回目の複数のリーチを形成する。また、複数の第１区域を分けた第１のグループについて変動を停止した際に１回目の複数のリーチを形成し、その後に複数の第１区域を分けた第２のグループについて変動を停止した際に２回目の複数のリーチを形成する。こうして少なくとも二回は複数のリーチを形成すると、特典を期待する遊技者の期待感をより高めることができる。
なお、以下のような態様を採用してもよい。
［態様１］
有効ラインに停止表示された図柄の組み合わせによって特典が付与されるか否かを遊技者に報知する遊技機であって、
それぞれが１つの図柄を停止表示するための区域である複数の小区域と、２以上の前記小区域をライン状に並べた形状に相当する区域であって１つの図柄を停止表示するための大区域とを含む複数の区域を有する表示部であって、前記大区域を含まずに複数の前記小区域で形成される第１有効ラインおよび第２有効ラインと、前記小区域と前記大区域とを含む複数の区域で形成される第３有効ラインとを含む複数の有効ラインを形成するように配置された複数の区域を有する表示部と、
前記各区域に表示される図柄を変動させた後に前記変動を停止させて、前記各区域に停止表示された図柄によって前記特典が付与されるか否かを遊技者に報知する表示制御手段と、
を備え、
前記表示制御手段は、前記図柄の変動と前記変動の停止との制御のパターンの１つとして、
（Ａ）前記複数の区域のそれぞれの図柄の変動を開始する処理と、
（Ｂ）前記処理（Ａ）よりも後に、前記第１有効ラインでリーチ状態を形成する処理と、
（Ｃ）前記処理（Ａ）よりも後に、前記第２有効ラインでリーチ状態を形成する処理と、
（Ｄ）前記処理（Ｂ）、（Ｃ）よりも後に、前記第１有効ラインの複数の区域の図柄の組み合わせを、前記特典の付与の報知のための図柄の組み合わせとは異なる組み合わせに確定させ、前記第２有効ラインの複数の区域の図柄の組み合わせを、前記特典の付与の報知のための図柄の組み合わせとは異なる組み合わせに確定させ、前記大区域の図柄の変動を維持した状態で、前記第３有効ラインでリーチ状態を形成する処理と、
（Ｅ）前記処理（Ｄ）よりも後に、前記大区域の図柄の変動を停止させて、前記第３有効ラインの各区域のそれぞれの図柄を確定させる処理と、
を含むパターンを有する、
遊技機。
［態様２］
態様１に記載の遊技機であって、
前記複数の有効ラインは、さらに、前記小区域と、前記第３有効ラインと共通な前記大区域とを含む複数の区域で形成される第４有効ラインを含み、
前記処理（Ｄ）は、前記大区域の図柄の変動を維持した状態で、前記第４有効ラインでリーチ状態を形成することによって、前記第３有効ラインと前記第４有効ラインとの両方をリーチ状態にする処理を含み、
前記処理（Ｅ）では、前記大区域の図柄の変動の停止によって、さらに、前記第４有効ラインの各区域のそれぞれの図柄が確定される、
遊技機。
［態様３］
態様１または態様２に記載の遊技機であって、
前記第１有効ラインの前記複数の小区域と、前記第２有効ラインの前記複数の小区域とは、複数のグループであって、各グループが第１有効ラインの前記小区域と第２有効ラインの前記小区域との両方を含むように設定された複数のグループに予め分けられており、
前記表示制御手段は、前記処理（Ｂ）と前記処理（Ｃ）とを実行する場合に、１つの前記グループに含まれる複数の前記小区域の図柄の変動をほぼ同時に停止させる処理を、グループを変更しつつ繰り返し実行することによって、前記処理（Ｂ）、（Ｃ）を、ほぼ同時に実現する、
遊技機。
［態様４］
態様１ないし態様３のいずれかに記載の遊技機であって、
前記第３有効ラインは、前記第１有効ラインに含まれる１つの前記小区域である第１小区域と、前記大区域と、前記第２有効ラインに含まれる前記小区域と、を含み、
前記処理（Ｂ）は、前記第１有効ラインに含まれる複数の前記小区域において前記第１小区域を除いた他の小区域のそれぞれの図柄の変動を停止してリーチ状態を形成する処理を含み、
前記処理（Ｃ）は、前記第２有効ラインに含まれる複数の前記小区域において、前記第３有効ラインには含まれていない１つの前記小区域である第２小区域を除いた他の小区域のそれぞれの図柄の変動を停止してリーチ状態を形成する処理を含み、
前記処理（Ｄ）は、前記第１小区域の図柄の変動を停止することによって、前記第１有効ラインの各区域の図柄を確定するとともに、前記第１小区域を含む前記第３有効ラインでのリーチ状態を形成する処理を含む、
遊技機。
［態様５］
態様２に記載の遊技機であって、
前記第３有効ラインは、前記第１有効ラインに含まれる１つの前記小区域である第１小区域と、前記大区域と、前記第２有効ラインに含まれる前記小区域と、を含み、
前記処理（Ｂ）は、前記第１有効ラインに含まれる複数の前記小区域において前記第１小区域を除いた他の小区域のそれぞれの図柄の変動を停止してリーチ状態を形成する処理を含み、
前記処理（Ｃ）は、前記第２有効ラインに含まれる複数の前記小区域において、前記第３有効ラインには含まれていない１つの前記小区域である第２小区域を除いた他の小区域のそれぞれの図柄の変動を停止してリーチ状態を形成する処理を含み、
前記第４有効ラインは、前記第２有効ラインに含まれる前記第２小区域と、前記第３有効ラインと共通の区域である前記大区域と、前記第１有効ラインに含まれる前記小区域と、を含み、
前記処理（Ｄ）は、
（Ｄａ）前記第１小区域の図柄の変動を停止することによって、前記第１有効ラインの各区域の図柄を確定するとともに、前記第１小区域を含む前記第３有効ラインでのリーチ状態を形成する処理と、
（Ｄｂ）前記第１小区域の図柄の変動の停止とほぼ同時に、前記第２小区域の図柄の変動を停止することによって、前記第２有効ラインの各区域の図柄を確定するとともに、前記第２小区域を含む前記第４有効ラインでのリーチ状態を形成する処理と、
を含む、遊技機。